(57)【特許請求の範囲】
【請求項１】
室内（３０ａ，３０ｂ，・・・）の人の有無を検知する人検知センサ（１４ｃ）を含み前記室内に設置される室内機（１１ａ，１１ｂ，・・・）、を有する空調機（１０ａ，１０ｂ，・・・）と、
前記空調機のユーザーが携帯する携帯端末（５０）と、
公衆回線（８０）を利用して前記空調機と前記携帯端末との間で情報のやりとりを行わせる情報仲介装置（２０ａ，２０ｂ，・・・，２１，４０）と、
を備え、
前記空調機の運転中に前記人検知センサの検知結果に基づき前記室内に人が居ないと判断されたときに、前記判断結果に応じた不在情報を前記ユーザーが確認可能なように、前記情報仲介装置が前記携帯端末に前記不在情報のプッシュ通知を行う、
空調システム（１００）。
【請求項２】
前記空調機は、運転中に前記人検知センサの検知結果に基づき前記室内に人が居ないと判断したときに運転を自動的に停止するか否かを設定可能な設定部（１５ａ）、を有し、
前記不在情報の内容は、前記設定部による設定で異なる、
請求項１に記載の空調システム。
【請求項３】
前記空調機は、リモコン（１５）を有し、
前記情報仲介装置は、前記携帯端末又は前記リモコンから前記プッシュ通知を行うか否かの設定情報を受信する、
請求項１又は２に記載の空調システム。
【請求項４】
前記情報仲介装置は、
前記プッシュ通知を行った後であって前記空調機の運転停止に関する運転停止情報を前記携帯端末から受信する前に、前記人検知センサの検知結果に基づき前記室内に人が居ると判断された場合には、
前記判断結果に応じた在室情報を、前記ユーザーが確認可能なように前記携帯端末に送信する、
請求項１から３のいずれか１項に記載の空調システム。
【請求項５】
前記プッシュ通知が行われた際に前記携帯端末の表示画面（５５）に表示されるプッシュ通知画像には、前記空調機の運転停止に関する運転停止情報を前記情報仲介装置に送信するための操作画像に前記プッシュ通知画像から遷移させるための入力部（５６ｅ）、が含まれる、
請求項１から４のいずれか１項に記載の空調システム。
【請求項６】
前記プッシュ通知が行われる前記空調機は、予め前記情報仲介装置に登録されており、
前記情報仲介装置には、複数の前記空調機を登録可能である、
請求項１から５のいずれか１項に記載の空調システム。
【請求項７】
請求項１に記載の空調システムが備える前記携帯端末に搭載される空調管理プログラムであって、
前記ユーザーの操作に応じて動作する、
空調管理プログラム。
【発明の詳細な説明】
【技術分野】
【０００１】
本発明は、情報仲介装置を介して携帯端末と空調機との間で情報のやりとりを行うことができる空調システムに関する。
【背景技術】
【０００２】
従来より、情報仲介装置を介して携帯端末と空調機等の電気機器との間で情報のやりとりを行うことができるシステムとして、例えば特許文献１（特開２００５−２７０２５号公報）に開示されているように、ユーザーが携帯する携帯端末を用いて、インターネットを介して電気機器を操作するシステムがある。
【発明の概要】
【発明が解決しようとする課題】
【０００３】
ところで、特許文献１に開示されているシステムでは、ユーザーが外出先で空調機の動作状況を確認するためには、携帯端末の遠隔操作機能を起動しなければならない。ところが、空調機の消し忘れのように、空調機が運転していることをユーザーが想定していないような状況の場合には、ユーザーが外出先で空調機の動作状況を確認する目的で携帯端末の遠隔操作機能を起動させるとは考えにくい。そうすると、想定外に空調機が運転している場合には、外出先のユーザーは空調機の動作状況を知ることができず、空調機に対応しないおそれがある。
【０００４】
そこで、本発明の課題は、想定外に空調機が運転している場合であっても、外出先のユーザーが空調機の動作状況を知ることができる空調システムを提供することにある。
【課題を解決するための手段】
【０００５】
本発明の第１観点に係る空調システムは、空調機と、携帯端末と、情報仲介装置と、を備える。空調機は、室内機を有する。室内機は、室内の人の有無を検知する人検知センサを含む。携帯端末は、空調機のユーザーが携帯する。情報仲介装置は、公衆回線を利用して空調機と携帯端末との間で情報のやりとりを行わせる。また、空調機の運転中に人検知センサの検知結果に基づき室内に人が居ないと判断されたときに、前記判断結果に応じた不在情報をユーザーが確認可能なように、情報仲介装置が携帯端末に不在情報のプッシュ通知を行う。
【０００６】
本発明の第１観点に係る空調システムでは、不在情報がプッシュ通知により携帯端末に提供されるため、ユーザーは該不在情報を携帯端末で確認することができる。したがって、ユーザーは、空調機が運転していることを想定していないような状況の場合であっても、室内に人が居ないにも拘わらず空調機が運転中であることを外出先で知ることができる。すなわち、この空調システムでは、プッシュ通知が行われることにより、想定外に空調機が運転している場合であっても、外出先のユーザーが空調機の動作状況を知ることができる。
【０００７】
本発明の第２観点に係る空調システムは、第１観点の空調システムにおいて、空調機は、設定部を有する。設定部は、空調機の運転中に人検知センサの検知結果に基づき室内に人が居ないと判断したときに運転を自動的に停止するか否かを設定することができる。また、不在情報の内容は、設定部による設定で異なる。この空調システムでは、空調機が設定部を有していることで、プッシュ通知を受けたユーザーが携帯端末により情報仲介装置を介して空調機を操作する際の操作内容を選択することができる。すなわち、プッシュ通知を受けた際の空調機の操作内容を、ユーザーの好みに応じて予め設定することができる。
【０００８】
本発明の第３観点に係る空調システムは、第１観点又は第２観点の空調システムにおいて、空調機は、リモコンを有する。情報仲介装置は、携帯端末又はリモコンからプッシュ通知を行うか否かの設定情報を受信する。このため、この空調システムでは、プッシュ通知の要否を、ユーザーの好みに応じて選択することができる。
【０００９】
本発明の第４観点に係る空調システムは、第１観点から第３観点のいずれかの空調システムにおいて、情報仲介装置は、プッシュ通知を行った後であって空調機の運転停止に関する運転停止情報を携帯端末から受信する前に、人検知センサの検知結果に基づき室内に人が居ると判断された場合には、前記判断結果に応じた在室情報をユーザーが確認可能なように携帯端末に送信する。このため、ユーザーは携帯端末に提供された在室情報を確認することで、不在情報が提供された後であっても室内に人がいる可能性があることを知ることができる。
【００１０】
これにより、室内に人が居る可能性があるにも拘わらず、空調機の運転が停止されるおそれを低減することができる。
【００１１】
本発明の第５観点に係る空調システムは、第１観点から第４観点のいずれかの空調システムにおいて、プッシュ通知画像には、プッシュ通知画像から操作画像に遷移させるための入力部が含まれる。プッシュ通知画像は、プッシュ通知が行われた際に携帯端末の表示画面に表示される画像である。操作画像は、空調機の運転停止に関する運転停止情報を情報仲介装置に送信するための画像である。この空調システムでは、入力部を操作することで、表示画面の表示がプッシュ通知画像から操作画像に遷移するため、ユーザーは、プッシュ通知後の空調機の運転停止操作を簡易に行うことができる。
【００１２】
本発明の第６観点に係る空調システムは、第１観点から第５観点の空調システムにおいて、プッシュ通知が行われる空調機は、予め情報仲介装置に登録されている。そして、情報仲介装置には、複数の空調機を登録可能である。このため、この空調システムでは、自宅だけでなく、両親宅や仕事場といった異なる場所にある複数の空調機を登録しておくことで、異なる場所にある建物の室内の不在情報を、１つの携帯端末で受けとることができる。
【００１３】
本発明の第７観点に係る空調管理プログラムは、請求項１に記載の携帯端末に搭載される空調管理プログラムであって、ユーザーの操作に応じて動作する。このため、ユーザーは携帯端末を操作することで、空調管理プログラムを動作させることができる。
【発明の効果】
【００１４】
本発明の第１観点に係る空調システムでは、想定外に空調機が運転している場合であっても、外出先のユーザーが空調機の動作状況を知ることができる。
【００１５】
本発明の第２観点に係る空調システムでは、プッシュ通知を受けた際の空調機の操作内容を、ユーザーの好みに応じて予め設定することができる。
【００１６】
本発明の第３観点に係る空調システムでは、プッシュ通知の要否を、ユーザーの好みに応じて選択することができる。
【００１７】
本発明の第４観点に係る空調システムでは、室内に人が居る可能性があるにも拘わらず、空調機の運転が停止されるおそれを低減することができる。
【００１８】
本発明の第５観点に係る空調システムでは、ユーザーは、プッシュ通知後の空調機の運転停止操作を簡易に行うことができる。
【００１９】
本発明の第６観点に係る空調システムでは、異なる場所にある建物の室内の不在情報を、１つの携帯端末で受けとることができる。
【００２０】
本発明の第７観点に係る空調管理プログラムでは、ユーザーが携帯端末を操作することで、空調管理プログラムを動作させることができる。
【図面の簡単な説明】
【００２１】
【図１】本発明の一実施形態に係る空調システムの構成図。
【図２】空調機及びアダプタの構成図。
【図３】サーバの構成図。
【図４】携帯端末の構成図。
【図５】機器一覧画像の一例を示す図。
【図６】設定画像の一例を示す図。
【図７】サーバ上で実行されるプッシュ通知の流れを示すフローチャート。
【図８】サーバ上で実行されるプッシュ通知の流れを示すフローチャート。
【図９】サーバ上で実行されるプッシュ通知の流れを示すフローチャート。
【図１０】サーバ上で実行されるプッシュ通知の流れを示すフローチャート。
【図１１】プッシュ通知画像の一例を示す図。
【図１２】プッシュ通知画像の一例を示す図。
【図１３】プッシュ通知後の機器一覧画像の一例を示す図。
【発明を実施するための形態】
【００２２】
以下、図面を参照しながら、本発明の一実施形態に係る空調システム１００について説明する。なお、以下の実施形態は、本発明の具体例であって、本発明の技術的範囲を限定するものではなく、発明の要旨を逸脱しない範囲で適宜変更が可能である。
【００２３】
（１）空調システム１００の構成
（１−１）概要
図１に、空調システム１００の全体構成を示す。空調システム１００は、情報仲介装置としてのサーバ４０及びアダプタ２０ａ，２０ｂ，・・・を介してユーザーが自身の携帯する携帯端末５０から所定の空調機１０ａ，１０ｂ，・・・の情報を取得したり、所定の空調機１０ａ，１０ｂ，・・・を操作したりするためのシステムである。
【００２４】
建物３０には、公衆回線（以下、インターネットという）８０と、建物３０内に施設されているローカルエリアネットワーク（以下、ＬＡＮという）８１とを接続するルータ２１が設置されている。ＬＡＮ８１には、空調機１０ａ，１０ｂ，・・・に接続されたアダプタ２０ａ，２０ｂ，・・・が接続されている。なお、アダプタ２０ａ，２０ｂ，・・・の他に、建物３０内で使用される図示されないパソコン、プリンタ等のネットワーク機器がＬＡＮ８１に接続されていてもよい。
【００２５】
携帯端末５０によってサーバ４０を介して空調機１０ａ，１０ｂ，・・・を管理するためには、事前に各空調機１０ａ，１０ｂ，・・・をサーバ４０に登録しておく必要がある。
【００２６】
なお、簡単のために、図１には建物３０を１つしか示していないが、実際の空調システム１００には、複数の建物３０に散在する空調機１０ａ，１０ｂ，・・・が含まれているものとする。
【００２７】
（２）空調システム１００の詳細構成
（２−１）空調機１０ａ，１０ｂ，・・・
図１に示すように、空調機１０ａ，１０ｂ，・・・は、建物３０の室内３０ａ，３０ｂ，・・・に設置される室内機１１ａ，１１ｂ，・・・と、建物３０の外に設置される室外機１２ａ，１２ｂ，・・・とを有する。なお、室内機１１ａ，１１ｂ，・・・は、アダプタ２０ａ，２０ｂ，・・・と１対１で接続されている。
【００２８】
室内機１１ａ，１１ｂ，・・・と室外機１２ａ，１２ｂ，・・・とは、冷媒配管を介して接続されており、圧縮機や熱交換器等から構成される冷媒回路を形成している。
【００２９】
図２に示すように、空調機１０ａ，１０ｂ，・・・は、各種センサを有している。例えば、室内機１１ａ，１１ｂ，・・・は、室内機１１ａ，１１ｂ，・・・の設置されている室内３０ａ，３０ｂ，・・・の温度を検出する室内温度センサ１４ａを有している。また、室内機１１ａ，１１ｂ，・・・は、空調機１０ａ，１０ｂ，・・・の運転中に、室内３０ａ，３０ｂ，・・・に居る人の有無を検知する人検知センサ１４ｃを有している。人検知センサ１４ｃとしては、例えば赤外線センサが採用される。室外機１２ａ，１２ｂ，・・・は、建物３０付近の外気の温度を検出する外気温度センサ１４ｂを有している。
【００３０】
また、空調機１０ａ，１０ｂ，・・・は、制御部１３を有している。制御部１３は、空調機１０ａ，１０ｂ，・・・に含まれる室内機１１ａ，１１ｂ，・・・及び室外機１２ａ，１２ｂ，・・・の制御ユニットの集合体である。
【００３１】
制御部１３は、リモコン１５を介して室内３０ａ，３０ｂ，・・・のユーザーから入力される空調機１０ａ，１０ｂ，・・・に対する運転指令に従って、空調機１０ａ，１０ｂ，・・・の運転を制御する、すなわち、冷媒回路に含まれる圧縮機等の動作を制御する。
【００３２】
また、制御部１３は、空調機１０ａ，１０ｂ，・・・に関する機器データをアダプタ２０ａ，２０ｂ，・・・に送信する。例えば、制御部１３は、リモコン１５を介して入力された空調機１０ａ，１０ｂ，・・・に対する運転指令の内容を示すデータをアダプタ２０ａ，２０ｂ，・・・に送信する。運転指令の内容を示すデータとは、空調機１０ａ，１０ｂ，・・・の運転開始／運転停止、運転モード（冷房モード、暖房モード、送風モードなど）、設定温度、後述する自動停止機能の設定内容などである。
【００３３】
制御部１３は、室内温度及び外気温度に関する温度データをアダプタ２０ａ，２０ｂ，・・・に送信する。具体的には、制御部１３は、室内温度センサ１４ａによって検出された室内温度データ、及び外気温度センサ１４ｂによって検出された外気温度データをアダプタ２０ａ，２０ｂ，・・・に送信する。
【００３４】
さらに、制御部１３は、人検知センサ１４ｃの検知結果に基づいて、室内機１１ａ，１１ｂ，・・・の設置された室内３０ａ，３０ｂ，・・・における人の有無を判断する。具体的には、制御部１３は、人検知センサ１４ｃによって所定時間（例えば５分）継続して人の存在が検知されない場合には、室内３０ａ，３０ｂ，・・・に人が居ない不在状態であると判断する。一方で、制御部１３は、不在状態であると判断した後に、人検知センサ１４ｃによって人が検知された場合には、室内３０ａ，３０ｂ，・・・に人が居る在室状態であると判断する。また、制御部１３は、不在状態が一定時間（本実施形態では、１時間、及び３時間）継続したか否かを判断する。そして、制御部１３は、これら判断結果である不在／在室に関するデータを、アダプタ２０ａ，２０ｂ，・・・に送信する。
【００３５】
なお、室内機１１ａ，１１ｂ，・・・は、制御部１３によって一定時間不在状態が継続したと判断された場合に、自動的に空調機１０ａ，１０ｂ，・・・の運転を停止する自動停止機能を有する。そして、ユーザーは、リモコン１５の設定部１５ａを操作することで自動停止機能を採用するか否かを設定できる。設定部１５ａにより設定可能な自動停止機能の内容としては、自動停止機能を採用しない「自動停止なし」、不在状態が１時間継続したときに自動的に空調機１０ａ，１０ｂ，・・・の運転を停止する「１時間自動停止」、不在状態が３時間継続したときに自動的に空調機１０ａ，１０ｂ，・・・の運転を停止する「３時間自動停止」が含まれる。自動停止機能の設定内容に関するデータは、上述したように空調機１０ａ，１０ｂ，・・・に関する機器データとしてアダプタ２０ａ，２０ｂ，・・・に送信される。
【００３６】
また、制御部１３は、アダプタ２０ａ，２０ｂ，・・・から送信されてくる制御指令を実行する。アダプタ２０ａ，２０ｂ，・・・から送信されてくる制御指令とは、例えば、室内機１１ａ，１１ｂ，・・・に対する運転指令であったり、特定の機器データをアダプタ２０ａ，２０ｂ，・・・に送信するよう命じるものであったりする。
【００３７】
（２−２）情報仲介装置
情報仲介装置は、インターネット８０を利用して、空調機１０ａ，１０ｂ，・・・と携帯端末５０との間で情報のやりとりを行わせるための装置である。情報仲介装置は、アダプタ２０ａ，２０ｂ，・・・と、ルータ２１と、サーバ４０とを有している。
【００３８】
（２−２−１）アダプタ２０ａ，２０ｂ，・・・
アダプタ２０ａ，２０ｂ，・・・は、空調機１０ａ，１０ｂ，・・・をＬＡＮ８１に接続するためのネットワークアダプタであって、本実施形態では室内機１１ａ，１１ｂ，・・・に外付けされている。なお、アダプタ２０ａ，２０ｂ，・・・は室内機１１ａ，１１ｂ，・・・に内蔵されていてもよい。
【００３９】
アダプタ２０ａ，２０ｂ，・・・は、図２に示すように、通信部２２ａと、制御部２３ａと、記憶部２４ａとを有しており、ネットワーク間での通信プロトコルの相違を吸収する通信機能の他、空調機１０ａ，１０ｂ，・・・を制御する制御機能を有している。
【００４０】
記憶部２４ａには、制御プログラム及び制御データが記憶されている。制御プログラム及び制御データは、当該制御データを参照しつつ当該制御プログラムを実行する。
【００４１】
また、記憶部２４ａには、機器データ記憶領域２５ａと、温度データ記憶領域２５ｂと、不在／在室データ記憶領域２５ｃと、が確保されている。機器データ記憶領域２５ａは、空調機１０ａ，１０ｂ，・・・から送信されてくる機器データを一時的に保存しておくための記憶領域である。温度データ記憶領域２５ｂは、空調機１０ａ，１０ｂ，・・・から送信されてくる温度データを一時的に保存しておくための記憶領域である。不在／在室データ記憶領域２５ｃは、空調機１０ａ，１０ｂ，・・・から送信されてくる不在／在室データを一時的に保存しておくための記憶領域である。そして、制御部２３ａは、定期的に（例えば１分毎に）機器データ記憶領域２５ａ内の機器データ、温度データ記憶領域２５ｂ内の温度データ、及び不在／在室データ記憶領域２５ｃ内の不在／在室データを、定期発報データとしてサーバ４０に送信する。
【００４２】
また、記憶部２４ａには、サーバアドレス及びアダプタ２０ａ，２０ｂ，・・・の識別番号が予め記憶されている。さらに、記憶部２４ａには、サーバ４０に割り当てられた機器ＩＤが記憶されている。機器ＩＤは、サーバ４０上でアダプタ２０ａ，２０ｂ，・・・を一意に識別する情報となる。
【００４３】
（２−２−２）ルータ２１
ルータ２１は、アダプタ２０ａ，２０ｂ，・・・がＬＡＮ８１に接続されると、アダプタ２０ａ，２０ｂ，・・・の存在を自動的に検出し、アダプタ２０ａ，２０ｂ，・・・のネットワーク情報の登録を行う。これにより、アダプタ２０ａ，２０ｂ，・・・は、ＬＡＮ８１内の他のネットワーク機器、及びインターネット８０上のネットワーク機器との通信が可能になる。
【００４４】
（２−２−３）サーバ４０
図３に示すように、サーバ４０は、通信部４１と、制御部４２と、記憶部４３とを有している。
【００４５】
通信部４１は、サーバ４０の通信機能を担っており、サーバ４０のインターネット８０への接続、すなわち空調機１０ａ，１０ｂ，・・・と携帯端末５０との通信を可能にしている。
【００４６】
記憶部４３には、空調機１０ａ，１０ｂ，・・・に関する各種データを蓄積するための様々なデータベースが定義されている。
【００４７】
例えば、記憶部４３には、アダプタ２０ａ，２０ｂ，・・・からサーバ４０へとインターネット８０を介して送信されてくる、定期発報データを蓄積する定期発報データベース４３ａが定義されている。なお、定期発報データベース４３ａには、空調機１０ａ，１０ｂ，・・・に関する各種データが当該空調機１０ａ，１０ｂ，・・・に接続されているアダプタ２０ａ，２０ｂ，・・・に割り当てられた機器ＩＤに関連付けられた態様で格納される。このため、アダプタ２０ａ，２０ｂ，・・・毎に、すなわち空調機１０ａ，１０ｂ，・・・毎に、空調機１０ａ，１０ｂ，・・・に関する各種データを管理することができる。
【００４８】
また、記憶部４３には、空調機１０ａ，１０ｂ，・・・に関する基本的な登録情報（以下、基本情報）を格納する基本情報データベース４３ｂが定義されている。基本情報データベース４３ｂには、アダプタ２０ａ，２０ｂ，・・・の機器ＩＤ、当該アダプタ２０ａ，２０ｂ，・・・が接続された空調機１０ａ，１０ｂ，・・・の保有する各種機能に関するデータなどが１つのレコードとして格納される。基本情報データベース４３ｂ内のレコードは、空調機１０ａ，１０ｂ，・・・に１対１で対応する。
【００４９】
さらに、記憶部４３には、空調機１０ａ，１０ｂ，・・・のユーザーによる各種設定に関する情報を格納する設定情報データベース４３ｃが定義されている。設定情報データベース４３ｃには、登録された空調機１０ａ，１０ｂ，・・・のアダプタ２０ａ，２０ｂ，・・・の機器ＩＤ、該空調機１０ａ，１０ｂ，・・・に対してユーザーが任意で設定した機器名称、当該アダプタ２０ａ，２０ｂ，・・・に接続された空調機１０ａ，１０ｂ，・・・の自動停止機能の設定内容（自動停止なし／１時間自動停止／３時間自動停止）、当該空調機１０ａ，１０ｂ，・・・の外部からの操作の可否（ＯＮ／ＯＦＦ）、当該空調機１０ａ，１０ｂ，・・・のユーザーに割り当てられているログインＩＤ及びパスワードを含むユーザーの個人情報、ユーザーの携帯する携帯端末５０へのプッシュ通知の要否（ＯＮ／ＯＦＦ）などが１つのレコードとして格納される。パスワードは、ユーザーがサーバ４０にログインＩＤでログインする際のログイン権限を認証するためのものである。設定情報データベース４３ｃ内のレコードは、ユーザーに１対１で対応する。
【００５０】
制御部４２は、ＣＰＵ、ＲＡＭ及びＲＯＭ等から構成されており、記憶部４３に記憶されている制御プログラムを実行する。また、制御部４２は、上記データベースに格納されている各種データを、インターネット８０を介してユーザーの携帯端末５０に送信する。なお、制御部４２は、プッシュ通知によって送信する所定の情報以外は、インターネット８０を介した携帯端末５０からの情報送信要求に応じて、携帯端末５０に各種データを送信する。また、制御部４２は、インターネット８０を介して携帯端末５０から受信した操作情報を制御指令としてアダプタ２０ａ，２０ｂ，・・・に送信する。なお、この制御指令は、アダプタ２０ａ，２０ｂ，・・・から定期発報データを受けた時に、サーバ４０からアダプタ２０ａ，２０ｂ，・・・に対して送信される。また、各空調機１０ａ，１０ｂ，・・・はアダプタ２０ａ，２０ｂ，・・・の機器ＩＤにより識別されている。
【００５１】
また、制御部４２は、携帯端末５０にプッシュによる通知を行う。ここで、プッシュとは、サーバ４０が携帯端末５０からの情報送信要求によらず能動的に携帯端末５０に対して所定の情報を通知する仕組みである。プッシュ通知は、電子メール又はショートメールメッセージサービスであってもよく、独自の形式のデータであってもよい。そして、本実施形態では、空調機１０ａ，１０ｂ，・・・の運転中に人検知センサ１４ｃの検知結果に基づき室内３０ａ，３０ｂ，・・・に人が居ないと判断されたときに、前記判断結果に応じた所定の不在情報をユーザーが確認可能なように、サーバ４０の制御部４２が携帯端末５０に不在情報のプッシュ通知を行う。
【００５２】
さらに、制御部４２は、不在情報のプッシュ通知を行った後、所定条件が満たされた場合には、在室情報に関する注意喚起のメッセージを含む注意喚起画像情報を携帯端末５０に送信する。ここで、所定条件には、プッシュ通知設定がＯＮであるという条件、プッシュ通知後にアダプタ２０ａ，２０ｂ，・・・から在室データが送信されたという条件、及び携帯端末５０からアクセスがあったという条件が含まれる。そして、本実施形態では、所定条件の全てが満たされた場合に、サーバ４０は注意喚起画像情報を携帯端末５０に送信する。
【００５３】
（２−３）携帯端末５０
携帯端末５０は、空調機１０ａ，１０ｂ，・・・のユーザーが携帯するものであって、例えば携帯電話、スマートフォン、タブレットコンピュータ、ノート型パソコンなどの可搬性のコンピュータが挙げられる。以下より、携帯端末としてスマートフォン５０が採用されている場合を例として説明する。
【００５４】
図４に示すように、スマートフォン５０は、通信部５１と、制御部５２と、出力部５４と、入力部５６と、記憶部５３とを有している。通信部５１は、通話機能の他、インターネット８０への接続機能を実装している。制御部５２は、ＣＰＵ、ＲＡＭ及びＲＯＭ等からなり、記憶部５３はフラッシュメモリ等からなる。出力部５４は、表示画面５５を含む。入力部５６は、操作ボタン群等からなり、表示画面５５に表示される画像中に含まれる。
【００５５】
スマートフォン５０には、スマートフォン５０を用いて空調機１０ａ，１０ｂ，・・・を管理するための空調管理プログラムが搭載される。空調管理プログラムは、インターネット８０を介してサーバ４０からダウンロードすることができる。この空調管理プログラムは、サーバ４０に登録されている複数の空調機１０ａ，１０ｂ，・・・に関する情報を含む画像を、スマートフォン５０の表示画面５５に表示させることができる。そして、ユーザーは、空調管理プログラムにより生成され表示画面５５に提供される画像を介して、登録されている空調機１０ａ，１０ｂ，・・・の機器設定、及び空調機１０ａ，１０ｂ，・・・の操作などを行う。なお、空調管理プログラムには、サーバアドレスが保持されている。
【００５６】
（３）各種設定
（３−１）初期設定
空調機１０ａ，１０ｂ，・・・の初期設定は、空調機１０ａ，１０ｂ，・・・に接続されているアダプタ２０ａ，２０ｂ，・・・により自動的に実行される処理である。より具体的には、アダプタ２０ａ，２０ｂ，・・・は、ＬＡＮ８１に接続されると、ルータ２１を介して自身の存在を自動的にサーバ４０に送信するようにプログラムされている。当該送信時には、アダプタ２０ａ，２０ｂ，・・・からサーバ４０へと、各アダプタ２０ａ，２０ｂ，・・・の識別番号が送信される。
【００５７】
サーバ４０の制御部４２は、アダプタ２０ａ，２０ｂ，・・・から識別番号が送信されると、各アダプタ２０ａ，２０ｂ，・・・の識別番号毎に個別の機器ＩＤを作成し、該識別番号及び作成した該機器ＩＤとを関連付ける態様で、基本情報データベース４３ｂに登録する。また、サーバ４０の制御部４２は、該機器ＩＤを、対応するアダプタ２０ａ，２０ｂ，・・・に送信する。
【００５８】
アダプタ２０ａ，２０ｂ，・・・は、サーバ４０から機器ＩＤが送信されると、機器ＩＤを記憶部２４ａする。次に、アダプタ２０ａ，２０ｂ，・・・は、各アダプタ２０ａ，２０ｂ，・・・に接続されている空調機１０ａ，１０ｂ，・・・の保有する各種機能に関するデータをサーバ４０に送信する。
【００５９】
サーバ４０の制御部４２は、アダプタ２０ａ，２０ｂ，・・・から空調機１０ａ，１０ｂ，・・・の保有する各種機能に関するデータが送信されると、各アダプタ２０ａ，２０ｂ，・・・の機器ＩＤと空調機１０ａ，１０ｂ，・・・の保有する各種機能に関するデータとを関連付ける態様で、基本情報データベース４３ｂに登録する。これにより、サーバ４０に空調機１０ａ，１０ｂ，・・・の登録が行われ、空調機１０ａ，１０ｂ，・・・の初期設定が終了する。
【００６０】
（３−２）空調機１０ａ，１０ｂ，・・・の機器設定
空調機１０ａ，１０ｂ，・・・の機器設定は、ユーザーが建物３０内でスマートフォン５０を手動で操作しつつ実行する処理である。ユーザーは、サーバ４０からインターネット８０を介して表示画面５５に提供される画像を通じて空調機１０ａ，１０ｂ，・・・の機器設定を行う。なお、空調機１０ａ，１０ｂ，・・・の機器設定は、空調機１０ａ，１０ｂ，・・・の初期設定後に実行される必要がある。
【００６１】
空調機１０ａ，１０ｂ，・・・の機器設定では、ユーザーは、スマートフォン５０に搭載されている空調管理プログラムを起動し、サーバ４０にアクセスする。かかるアクセスを受けて、サーバ４０の処理が開始する。
【００６２】
サーバ４０は、基本情報データベース４３ｂに登録されている空調機１０ａ，１０ｂ，・・・の中からアクセス元であるスマートフォン５０と同じＬＡＮ８１内に存在するものを選択し、該スマートフォン５０と同じＬＡＮ８１内に繋がる全ての空調機１０ａ，１０ｂ，・・・を表示した画像に関する情報をスマートフォン５０に送信する。これにより、スマートフォン５０の表示画面５５に、登録されている空調機１０ａ，１０ｂ，・・・の一覧を確認することができる画像（図５参照、以下、機器一覧画像という）が表示される。
【００６３】
続いて、ユーザーが機器一覧画像に含まれる入力部５６としての「編集」ボタン５６ａをタップすると、空調機１０ａ，１０ｂ，・・・の機器名称、空調機１０ａ，１０ｂ，・・・の設置場所、空調機１０ａ，１０ｂ，・・・の外部からの操作の可否及びプッシュ通知の要否を設定するための設定画像（図６参照）に、機器一覧画像から遷移する。
【００６４】
例えば、ユーザーが設定画像に含まれる入力部５６としての「外から操作設定」ボタン５６ｂをタップして、外から操作設定を「ＯＮ」にすると、外から操作設定「ＯＮ」の情報がスマートフォン５０からサーバ４０に送信される。サーバ４０では、外部からの空調機１０ａ，１０ｂ，・・・の操作が可能となるように該情報を設定情報データベース４３ｃに登録する。同時に、サーバ４０は、パスワード設定画像に関する情報をスマートフォン５０に送信する。パスワード設定画像に関する情報がサーバ４０から送信されることで、スマートフォン５０の表示画面５５にパスワードの設定を促すパスワード設定画像が表示される。このとき、ユーザーがパスワード設定画像上の入力部を操作して任意のパスワードを入力して設定することで、パスワードに関する情報がスマートフォン５０からサーバ４０に送信される。パスワードに関する情報がサーバ４０に送信されると、サーバ４０の制御部４２は、ログインＩＤを作成し、作成したログインＩＤと該パスワードとを関連付けて設定情報データベース４３ｃに記憶するとともに、該ログインＩＤ及び該パスワードを表示した確認画像に関するする情報をスマートフォン５０に送信する。これにより、スマートフォン５０の表示画面５５には、ログインＩＤ及びパスワードを確認することのできる確認画像が表示される。
【００６５】
ところで、次回、空調管理プログラムを起動すると、ログインＩＤ及びパスワードの入力箇所を含む初期画像がスマートフォン５０の表示画面５５に表示される。このとき、ユーザーは、初期画像に含まれるログインＩＤ及びパスワードの入力箇所に、提供されたログインＩＤ及び設定したパスワードを入力しなければ、設定情報データベース４３ｃに登録されている空調機１０ａ，１０ｂ，・・・を建物３０の外部からスマートフォン５０により操作することができない。このように、スマートフォン５０を用いて外部から空調機１０ａ，１０ｂ，・・・を操作する際にログイン権限の有無が確かめられるようにログインＩＤ及びパスワードの入力を必須とすることで、不正な遠隔操作を避け安全に操作することができる。
【００６６】
なお、空調管理プログラムが起動され、初期画像に含まれるログインＩＤ及びパスワードの入力箇所にログインＩＤ及びパスワードが入力されると、スマートフォン５０からサーバ４０に情報送信要求が送信される。かかる情報送信要求を受けて、サーバ４０はデータベースに記憶されている空調機１０ａ，１０ｂ，・・・に関する各種データをスマートフォン５０に送信する。これを受けて、スマートフォン５０の表示画面５５には機器一覧画像が表示される。そして、ユーザーは、表示画面５５上の機器一覧画像に含まれる空調機１０ａ，１０ｂ，・・・のアイコンをタップすることで、各アイコンに対応する空調機１０ａ，１０ｂ，・・・に関する情報を表示画面５５上で確認したり、各アイコンに対応する空調機１０ａ，１０ｂ，・・・を操作したりすることができる。
【００６７】
また、ユーザーが図６に示す設定画像に含まれる入力部５６としての「プッシュ通知設定」ボタン５６ｃをタップして、プッシュ通知設定を「ＯＮ」にすると、プッシュ通知設定「ＯＮ」の情報がスマートフォン５０からサーバ４０に送信される。該情報を受信したサーバ４０は、スマートフォン５０へのプッシュ通知が可能となるように該情報を設定情報データベース４３ｃに記憶する。これにより、ユーザーがスマートフォン５０に搭載されている空調管理プログラムを起動しなくても、プッシュ通知としてサーバ４０が強制的に所定の情報をスマートフォン５０に送信する。なお、所定の情報には、定期発報データベース４３ａに記憶されている不在／在室データに関する情報が含まれる。また、本実施形態では、外から操作設定が「ＯＦＦ」になっている場合、及び設定画像を操作してプッシュ通知設定を「ＯＮ」にする操作が行われていない場合すなわちプッシュ通知設定が「ＯＦＦ」となっている場合には、プッシュ通知は行われないものとする。
【００６８】
また、図５に示すように、複数の空調機１０ａ，１０ｂ，・・・のアイコンが機器一覧画像中に表示されている場合には、各アイコンをタップした後に「編集」ボタン５６ａをタップすることで、タップしたアイコンに対応する空調機１０ａ，１０ｂ，・・・の機器設定を行うための設定画像に、機器一覧画像から遷移する。このため、ユーザーは、空調機１０ａ，１０ｂ，・・・の機器名称、空調機１０ａ，１０ｂ，・・・の設置場所、外部からの空調機１０ａ，１０ｂ，・・・の操作の可否及びプッシュ通知の要否の設定を、アイコンに対応する空調機１０ａ，１０ｂ，・・・毎に行うことができる。すなわち、ユーザーは、スマートフォン５０を用いて、不在情報のプッシュ通知を取得する空調機１０ａ，１０ｂ，・・・を、空調機１０ａ，１０ｂ，・・・毎（アダプタ２０ａ，２０ｂ，・・・毎）にサーバ４０に登録することができる。
【００６９】
（４）プッシュ通知
以下、図７−図１２を参照して、プッシュ通知が行われる場合の一例について説明する。図７−図１０は、サーバ４０における処理の流れを示すフローチャートである。また、図１１及び図１２では、複数の空調機１０ａ，１０ｂ，・・・のうちの１つの空調機の機器名称が「リビングエアコン」に設定されている場合を例として描いている。なお、以下の処理は一例であって、サーバ４０においてこれと異なる処理が実行されてもよい。
【００７０】
ステップＳ１では、不在状態が１時間継続しているか否かが判断される。具体的には、一定時間（ここでは、１時間）不在状態が継続した場合に空調機１０ａ，１０ｂ，・・・からアダプタ２０ａ，２０ｂ，・・・を介してサーバ４０に送信される不在に関するデータが定期発報データベース４３ａに格納されているか否かが判断される。そして、Ｙｅｓの場合、すなわち、定期発報データベース４３ａに該不在に関するデータが格納されている場合には、ステップＳ２へ進む。一方で、Ｎｏの場合、すなわち、定期発報データベース４３ａに該不在に関するデータが格納されていない場合には、ステップＳ１に戻る。
【００７１】
ステップＳ２では、プッシュ通知の可否が判断される。具体的には、設定情報データベース４３ｃにプッシュ通知設定「ＯＮ」と記憶されている場合、すなわちプッシュ通知が必要と設定されている場合には、ステップＳ３に進む。一方で、設定情報データベース４３ｃにプッシュ通知設定「ＯＦＦ」と記憶されている場合、すなわちプッシュ通知が不要と設定されている場合には、プッシュ通知に関する処理を終了する。
【００７２】
ステップＳ３では、自動停止設定が「自動停止なし」に設定されているか否かが判断される。そして、Ｙｅａの場合、すなわち、設定情報データベース４３ｃに自動停止設定として「自動停止なし」と記憶されている場合には、ステップＳ５へ進む。一方で、Ｎｏの場合、すなわち設定情報データベース４３ｃに自動停止設定として「自動停止なし」と記憶されていない場合には、ステップＳ４へ進む。
【００７３】
ステップＳ４では、自動停止設定が「１時間自動停止」に設定されているか否かが判断される。そして、Ｙｅａの場合、すなわち、設定情報データベース４３ｃに自動停止設定として「１時間自動停止」と記憶されている場合には、ステップＳ９へ進む。一方で、Ｎｏの場合、すなわち設定情報データベース４３ｃに自動停止設定として「１時間自動停止」と記憶されていない場合、すなわち自動停止設定が「３時間自動停止」に設定されている場合には、ステップＳ１０へ進む。
【００７４】
ステップＳ５では、ユーザーの携帯するスマートフォン５０に所定の不在情報のプッシュ通知を行う。該プッシュ通知が行われると、所定の不在情報として「消し忘れの可能性があります。」というメッセージ、入力部５６としての「閉じる」ボタン５６ｄ及び「表示」ボタン５６ｅを含むプッシュ通知画像（図１１参照）が、スマートフォン５０の表示画面５５に表示される。その後、ステップＳ６に進む。
【００７５】
ステップＳ６では、ユーザーのスマートフォン５０（携帯端末）からサーバ４０にアクセスがあったか否かが判断される。ここで、プッシュ通知が行われることにより表示画面５５上に表示されるプッシュ通知画像中の「表示」ボタン５６ｅがタップされることで、空調管理プログラムが起動してスマートフォン５０からサーバ４０に情報送信要求が送信される。サーバ４０は、スマートフォン５０から情報送信要求があったか否かを判断することで、スマートフォン５０からアクセスがあったか否かを判断する。そして、Ｙｅｓの場合、すなわち、スマートフォン５０からサーバ４０に情報送信要求があった場合には、ステップＳ７に進む。一方で、Ｎｏの場合、すなわち、スマートフォン５０からサーバ４０に情報送信要求がなかった場合には、ステップＳ６に戻る。
【００７６】
なお、本実施形態では、プッシュ通知画像中の「表示」ボタン５６ｅがタップされると、スマートフォン５０からサーバ４０に情報送信要求が送信されるともに、スマートフォン５０の表示画面５５の画像が、不在状態と判断した空調機１０ａ，１０ｂ，・・・を操作するための操作画像であって入力部５６としての「運転停止」ボタンを含む操作画像にプッシュ通知画像から遷移する。ユーザーは、操作画像上の「運転停止」ボタンをタップすることで、サーバ４０を介して不在状態と判断した空調機１０ａ，１０ｂ，・・・の運転を停止することができる。
【００７７】
ステップＳ７では、スマートフォン５０からのアクセスを受けて、定期発報データとしてアダプタ２０ａ，２０ｂ，・・・から在室に関するデータが送信されたか否かが判断される。具体的には、ステップＳ５において所定の不在情報のプッシュ通知を行った後に、空調機１０ａ，１０ｂ，・・・からアダプタ２０ａ，２０ｂ，・・・を介してサーバ４０に送信される在室に関するデータが定期発報データベース４３ａに格納されているか否かが判断される。そして、Ｙｅｓの場合、すなわち、定期発報データベース４３ａに該在室に関するデータが格納されている場合には、ステップＳ８へ進む。一方で、Ｎｏの場合、すなわち定期発報データベース４３ａに該在室に関するデータが格納されていない場合には、プッシュ通知に関する処理を終了する。
【００７８】
ステップＳ８では、スマートフォン５０の表示画面５５に注意喚起のメッセージを含む画像を表示するための注意喚起画像情報を送信する。該注意喚起画像情報がサーバ４０からスマートフォン５０に送信されることで、注意喚起として「お部屋に人がいる可能性があります。本当に運転を停止しますか？」というメッセージを含む注意喚起画像が、スマートフォン５０の表示画面５５に表示される。これにより、プッシュ通知に関する処理を終了する。
【００７９】
ステップＳ９では、ユーザーの携帯するスマートフォン５０に所定の不在情報のプッシュ通知を行う。該プッシュ通知が行われると、所定の不在情報として「自動停止設定により運転を停止しました。」というメッセージ、及び入力部５６としての「閉じる」ボタン５６ｄを含むプッシュ通知画像（図１２参照）が、スマートフォン５０の表示画面５５に表示される。これにより、プッシュ通知に関する処理が終了する。
【００８０】
ステップＳ１０では、ユーザーの携帯するスマートフォン５０に所定の不在情報のプッシュ通知を行う。該プッシュ通知が行われると、所定の不在情報として「消し忘れの可能性があります。」というメッセージ、入力部５６としての「閉じる」ボタン５６ｄ及び「表示」ボタン５６ｅを含むプッシュ通知画像（図１１参照）が、スマートフォン５０の表示画面５５に表示される。
【００８１】
ステップＳ１１では、ユーザーのスマートフォン５０（携帯端末）からサーバ４０にアクセスがあったか否かが判断される。ここで、プッシュ通知が行われることにより表示画面５５上に表示されるプッシュ通知画像中の「表示」ボタン５６ｅがタップされることで、空調管理プログラムが起動してスマートフォン５０からサーバ４０に情報送信要求が送信される。サーバ４０は、スマートフォン５０から情報送信要求があったか否かを判断することで、スマートフォン５０からアクセスがあったか否かを判断する。そして、Ｙｅｓの場合、すなわち、スマートフォン５０からサーバ４０に情報送信要求があった場合には、ステップＳ１２に進む。一方で、Ｎｏの場合、すなわち、スマートフォン５０からサーバ４０に情報送信要求がなかった場合には、ステップＳ１４に進む。
【００８２】
なお、プッシュ通知画像中の「表示」ボタン５６ｅがタップされると、スマートフォン５０からサーバ４０に情報送信要求が送信されるともに、スマートフォン５０の表示画面５５の画像が、不在状態と判断した空調機１０ａ，１０ｂ，・・・を操作するための操作画像であって入力部５６としての「運転停止」ボタンを含む操作画像にプッシュ通知画像から遷移する。
【００８３】
ステップＳ１２では、スマートフォン５０からのアクセスを受けて、定期発報データとしてアダプタ２０ａ，２０ｂ，・・・から在室に関するデータが送信されたか否かが判断される。具体的には、ステップＳ１０において所定の不在情報のプッシュ通知を行った後に、空調機１０ａ，１０ｂ，・・・からアダプタ２０ａ，２０ｂ，・・・を介してサーバ４０に送信される在室に関するデータが定期発報データベース４３ａに格納されているか否かが判断される。そして、Ｙｅｓの場合、すなわち、定期発報データベース４３ａに該在室に関するデータが格納されている場合には、ステップＳ１３へ進む。一方で、Ｎｏの場合、すなわち定期発報データベース４３ａに該在室に関するデータが格納されていない場合には、プッシュ通知に関する処理を終了する。
【００８４】
ステップＳ１３では、スマートフォン５０の表示画面５５に注意喚起のメッセージを含む画像を表示するための注意喚起画像情報を送信する。該注意喚起画像情報がサーバ４０からスマートフォン５０に送信されることで、注意喚起として「お部屋に人がいる可能性があります。本当に運転を停止しますか？」というメッセージを含む注意喚起画像が、スマートフォン５０の表示画面５５に表示される。これにより、プッシュ通知に関する処理を終了する。
【００８５】
ステップＳ１４では、不在状態が３時間継続しているか否かが判断される。具体的には、一定時間（ここでは、３時間）不在状態が継続した場合に空調機１０ａ，１０ｂ，・・・からアダプタ２０ａ，２０ｂ，・・・を介してサーバ４０に送信される不在に関するデータが定期発報データベース４３ａに格納されているか否かが判断される。そして、Ｙｅｓの場合、すなわち、定期発報データベース４３ａに該不在に関するデータが格納されている場合には、ステップＳ１５へ進む。一方で、Ｎｏの場合、すなわち、定期発報データベース４３ａに該不在に関するデータが格納されていない場合には、ステップＳ１１に戻る。
【００８６】
ステップＳ１５では、ユーザーの携帯するスマートフォン５０に所定の不在情報のプッシュ通知を行う。該プッシュ通知が行われると、所定の不在情報として「自動停止設定により運転を停止しました。」というメッセージ、及び入力部５６としての「閉じる」ボタン５６ｄを含むプッシュ通知画像（図１２参照）が、スマートフォン５０の表示画面５５に表示される。これにより、プッシュ通知に関する処理が終了する。
【００８７】
（５）特徴
（５−１）
本実施形態では、空調機１０ａ，１０ｂ，・・・の運転中に室内３０ａ，３０ｂ，・・・に人が居ないと判断された場合には、所定の不在情報がプッシュ通知によりユーザーの携帯するスマートフォン５０に提供される。このため、ユーザーは、スマートフォン５０に搭載されている空調管理プログラムを起動しなくても、該不在情報をスマートフォン５０で確認することができる。したがって、ユーザーは、空調機１０ａ，１０ｂ，・・・が運転していることを想定していないような状況の場合であっても、室内３０ａ，３０ｂ，・・・に人が居ないにも拘わらず空調機１０ａ，１０ｂ，・・・が運転中であることを外出先で知ることができる。すなわち、この空調システム１００では、プッシュ通知が行われることにより、想定外に空調機１０ａ，１０ｂ，・・・が運転している場合であっても、外出先のユーザーが空調機１０ａ，１０ｂ，・・・の動作状況を知ることができている。
【００８８】
また、室内３０ａ，３０ｂ，・・・に人が居ないにも拘わらず空調機１０ａ，１０ｂ，・・・が運転中であることをプッシュ通知により知ったユーザーが、スマートフォン５０により該空調機１０ａ，１０ｂ，・・・の運転を停止することで、無駄な電気料金の増加を抑えることができる。
【００８９】
さらに、ユーザーは、スマートフォン５０に搭載されている空調管理プログラムを起動しなくても、不在情報をスマートフォン５０で確認することができるため、タイムリーに不在情報を取得することができる。
【００９０】
（５−２）
本実施形態では、リモコン１５の設定部１５ａを操作することで自動停止機能を採用するか否かを設定可能である。このため、プッシュ通知を受けたユーザーがスマートフォン５０により空調機１０ａ，１０ｂ，・・・を操作する際の操作内容を、ユーザーの好みに応じて予め設定することができている。
【００９１】
また、本実施形態では、設定部１５ａによる設定によりプッシュ通知としてスマートフォン５０に提供される内容が異なっている。具体的には、自動停止機能が「自動停止なし」に設定されている場合には、「消し忘れの可能性があります。」というメッセージを含むプッシュ通知画像がスマートフォン５０の表示画面５５に表示される。自動停止機能が「１時間自動停止」又は「３時間自動停止」に設定されている場合には、「自動停止設定により運転を停止しました。」というメッセージを含むプッシュ通知画像がスマートフォン５０の表示画面５５に表示される。このため、ユーザーがプッシュ通知後に行う空調機１０ａ，１０ｂ，・・・の操作内容を誤るおそれを低減することができている。
【００９２】
さらに、スマートフォン５０の表示画面５５に表示されるプッシュ通知画像中には、所定のメッセージの他、空調管理プログラムを示すアイコン、題名（例えば、「エアコンからのお知らせ」など）、空調機１０ａ，１０ｂ，・・・の機器名称、日時、及び時刻などが含まれていてもよい。
【００９３】
（５−３）
本実施形態では、サーバ４０は、インターネット８０を介してスマートフォン５０からプッシュ通知を行うか否かの情報を受信する。具体的には、スマートフォン５０の表示画面５５上に表示される設定画像に含まれる「プッシュ通知設定」ボタン５６ｃをユーザーがタップして、プッシュ通知設定が「ＯＮ」にされることで、プッシュ通知設定「ＯＮ」の情報がスマートフォン５０からサーバ４０に送信される。そして、該情報を受信したサーバ４０は、プッシュ通知が可能となるように該情報を設定情報データベース４３ｃに格納する。これにより、ユーザーがスマートフォン５０に搭載されている空調管理プログラムを起動しなくても、サーバ４０が強制的に所定の情報をスマートフォン５０に送信するプッシュ通知が行われる。このため、この空調システム１００では、プッシュ通知の要否を、ユーザーの好みに応じて選択することができている。
【００９４】
（５−４）
ところで、不在情報のプッシュ通知が行われた後であっても、時間の経過により、不在と判断された室内３０ａ，３０ｂ，・・・に人が居る可能性がある。
【００９５】
そこで、本実施形態では、不在情報のプッシュ通知が行われた後に、不在と判断された室内３０ａ，３０ｂ，・・・に設置された室内機１１ａ，１１ｂ，・・・を有する空調機１０ａ，１０ｂ，・・・の運転がスマートフォン５０の操作により停止される前に、該室内３０ａ，３０ｂ，・・・における在室データがアダプタ２０ａ，２０ｂ，・・・から送信された場合には、スマートフォン５０からサーバ４０にアクセスがあったときに、サーバ４０はスマートフォン５０の表示画面５５に注意喚起のメッセージを含む画像を表示するための注意喚起画像情報を送信する。該注意喚起画像情報が送信されると、スマートフォン５０の表示画面５５に注意喚起として「お部屋に人がいる可能性があります。本当に運転を停止しますか？」というメッセージを含む注意喚起画像が表示される。このため、ユーザーは、スマートフォン５０に提供された注意喚起画像を確認することで、プッシュ通知により不在情報が提供された後であっても、室内３０ａ，３０ｂ，・・・に人が居る可能性があることを知ることができる。
【００９６】
このように、空調機１０ａ，１０ｂ，・・・を停止してもよいかどうかの確認として注意喚起が行われることで、室内３０ａ，３０ｂ，・・・に人が居る可能性があるにも拘わらず、空調機１０ａ，１０ｂ，・・・の運転が停止されるおそれを低減することができている。
【００９７】
なお、本実施形態では、不在情報のプッシュ通知が行われた後に、室内３０ａ，３０ｂ，・・・における在室データがアダプタ２０ａ，２０ｂ，・・・から送信されない場合には、スマートフォン５０からサーバ４０にアクセスがあっても、サーバ４０はスマートフォン５０に注意喚起画像情報を送信しない。このため、不在情報のプッシュ通知が行われた後に、不在と判断された室内３０ａ，３０ｂ，・・・に設置された室内機１１ａ，１１ｂ，・・・を有する空調機１０ａ，１０ｂ，・・・の運転がスマートフォン５０の操作により停止されるときに、該室内３０ａ，３０ｂ，・・・における在室データがアダプタ２０ａ，２０ｂ，・・・から送信されていない場合、すなわち該室内３０ａ，３０ｂ，・・・の不在状態が継続されている場合には、注意喚起は行われない。
【００９８】
また、本実施形態では、サーバ４０は、在室情報のプッシュ通知は行わず、スマートフォン５０からサーバ４０にアクセスがあったときに在室情報を確認可能な注意喚起画像情報を送信する。これにより、プッシュ通知が頻繁に行われることを防ぐことができるとともに、ユーザーのプライバシーの問題も保護することができる。
【００９９】
（５−５）
本実施形態では、プッシュ通知画像には、不在状態と判断した空調機１０ａ，１０ｂ，・・・を操作するための操作画像であって入力部５６としての「運転停止」ボタンを含む操作画像にプッシュ通知画像から画像を遷移させるための入力部５６としての「表示」ボタン５６ｅが含まれる。そして、ユーザーは、表示画面５５上に表示された操作画像中の「運転停止」ボタンをタップすることで、不在状態と判断した空調機１０ａ，１０ｂ，・・・の運転停止に関する操作情報である運転停止情報を、サーバ４０に送信することができる。このように、ユーザーは表示画面５５上に表示されたプッシュ通知画像中の「表示」ボタン５６ｅをタップするだけで、プッシュ通知画像から該操作画像に画像を遷移させることができるため、プッシュ通知があった後に空調管理プログラムを起動させてログインＩＤ及びパスワードを入力しその後表示される機器一覧画像から不在状態と判断した空調機１０ａ，１０ｂ，・・・を選択し該空調機１０ａ，１０ｂ，・・・の運転を停止させる操作を行う場合と比較して、プッシュ通知後の空調機１０ａ，１０ｂ，・・・の運転停止操作を簡易に行うことができている。
【０１００】
（５−６）
本実施形態では、プッシュ通知が行われる空調機１０ａ，１０ｂ，・・・は、予めサーバ４０の設定情報データベース４３ｃに登録されている。そして、サーバ４０には、プッシュ通知が行われる空調機１０ａ，１０ｂ，・・・を複数設定して登録することができる。このため、複数の異なる場所にある建物３０（例えば、自宅、両親宅及び仕事場など）内にある複数の空調機１０ａ，１０ｂ，・・・を登録しておくこともできる。そして、異なる場所にある複数の空調機１０ａ，１０ｂ，・・・をサーバ４０に登録しておくことで、異なる場所にある建物３０の室内３０ａ，３０ｂ，・・・の不在情報を、１つの携帯端末５０で受け取ることができる。
【０１０１】
（５−７）
本実施形態では、ユーザーのスマートフォン５０には、ユーザーの操作に応じて動作する空調管理プログラムが搭載されている。ユーザーは、空調管理プログラムを起動させることで、建物３０の外部からスマートフォン５０を通じて空調機１０ａ，１０ｂ，・・・を操作することができる。
【０１０２】
（６）変形例
（６−１）変形例Ａ
上記実施形態に加えて、ユーザーがスマートフォン５０を操作して空調機１０ａ，１０ｂ，・・・の機器設定として空調機１０ａ，１０ｂ，・・・の機器名称を設定する際に、空調機１０ａ，１０ｂ，・・・の機器名称の重複設定ができないように空調管理プログラムが設計されていてもよい。これにより、サーバ４０に複数の空調機１０ａ，１０ｂ，・・・が登録されている場合には、ユーザーは、建物３０内に設置された複数の空調機１０ａ，１０ｂ，・・・のうちのどの空調機１０ａ，１０ｂ，・・・に関する情報であるのかを認識しやすくなる。
【０１０３】
（６−２）変形例Ｂ
ユーザーが複数の携帯端末５０を所有している場合には、各携帯端末５０に対して不在情報のプッシュ通知が行われてもよい。
【０１０４】
（６−３）変形例Ｃ
上記実施形態に加えて、プッシュ通知があった後、各空調機１０ａ，１０ｂ，・・・に関する新たなデータがアダプタ２０ａ，２０ｂ，・・・からサーバ４０に送信された場合には、空調管理プログラムが起動された際にスマートフォン５０の表示画面５５に表示される機器一覧画像には、新たな情報があることをユーザーが確認できるように所定のマーク（例えば、図１３に示すような「Ｎ」など）が表示されてもよい。
【０１０５】
さらに、過去の履歴が各携帯端末５０上で確認できるように、携帯端末５０毎に履歴管理がおこなわれてもよい。なお、履歴管理としては、確認されていない履歴情報が削除されることを防止するために、日にちによる管理よりも件数による管理が行われることが好ましい。
【０１０６】
（６−４）変形例Ｄ
上記実施形態では、プッシュ通知設定が「ＯＮ」であり、かつ外から操作設定が「ＯＮ」である場合にのみ、プッシュ通知が行われる。これに代えて、プッシュ通知設定が「ＯＮ」である場合には、外から操作設定が「ＯＦＦ」であっても、プッシュ通知が行われてもよい。
【０１０７】
（６−５）変形例Ｅ
上記実施形態では、サーバ４０が、インターネット８０を介してスマートフォン５０からプッシュ通知を行うか否かの情報を受信しており、プッシュ通知設定のＯＮ／ＯＦＦが設定情報データベース４３ｃに格納されている。すなわち、スマートフォン５０によりプッシュ通知のＯＮ／ＯＦＦが設定されており、サーバ４０が主体的にプッシュ通知を行うか否かを管理している。
【０１０８】
これに代えて、ユーザーが空調機１０ａ，１０ｂ，・・・の有するリモコン１５を操作することで、プッシュ通知のＯＮ／ＯＦＦが設定されてもよい。この場合、例えば、リモコン１５が操作されることで、プッシュ通知設定「ＯＮ」の設定内容が機器データとして空調機１０ａ，１０ｂ，・・・からアダプタ２０ａ，２０ｂ，・・・に送信されるとともに、該機器データがアダプタ２０ａ，２０ｂ，・・・に記憶される。そして、アダプタ２０ａ，２０ｂ，・・・が主体的にプッシュ通知を行うか否かを管理する場合には、インターネット８０を介することなく室内３０ａ，３０ｂ，・・・で設定することができる。
【産業上の利用可能性】
【０１０９】
本発明は、想定外に空調機が運転している場合であっても外出先のユーザーが空調機の動作状況を知ることができるものであり、情報仲介装置を介して空調機と携帯端末との間で情報のやりとりを行わせる空調システムへの適用が有効である。
【符号の説明】
【０１１０】
１４ｃ    人検知センサ
１５      リモコン
１５ａ    設定部
２１      ルータ（情報仲介装置）
４０      サーバ（情報仲介装置）
５０      携帯端末／スマートフォン（携帯端末）
５５      表示画面
５６ｅ    「表示」ボタン（入力部）
８０      公衆回線／インターネット（公衆回線）
１００      空調システム
１０ａ，１０ｂ，・・・  空調機
１１ａ，１１ｂ，・・・  室内機
２０ａ，２０ｂ，・・・  アダプタ（情報仲介装置）
３０ａ，３０ｂ，・・・  室内
【先行技術文献】
【特許文献】
【０１１１】
【特許文献１】特開２００５−２７０２５号公報
【図１】
0005880530.tif 000002
【図２】
0005880530.tif 000003
【図３】
0005880530.tif 000004
【図４】
0005880530.tif 000005
【図５】
0005880530.tif 000006
【図６】
0005880530.tif 000007
【図７】
0005880530.tif 000008
【図８】
0005880530.tif 000009
【図９】
0005880530.tif 000010
【図１０】
0005880530.tif 000011
【図１１】
0005880530.tif 000012
【図１２】
0005880530.tif 000013
【図１３】
0005880530.tif 000014